(57)【特許請求の範囲】
【請求項１】
インターホン装置と、
通信網を介して前記インターホン装置に接続され、クライアント間の通信チャネルを確立させる外部サーバと
を備え、
前記インターホン装置は、
クライアント間の通信チャネルを確立させるサーバ部と、
前記サーバ部のクライアントとして機能し、かつ、前記外部サーバのクライアントとして機能する第１クライアント部と
前記サーバ部のクライアントとして機能する第２クライアント部と
を有し、
前記サーバ部は、前記第１クライアント部と前記第２クライアント部との間の第２通信チャネルを確立させ、
前記第１クライアント部は、前記第２通信チャネルを介して前記第２クライアント部から受信した前記インターホン装置が捕捉したデータを、前記外部サーバによって前記第１クライアント部と通信端末との間に確立された第１通信チャネルを介して前記通信端末に送信する
インターホンシステム。
【請求項２】
前記外部サーバはＳＩＰ（Ｓｅｓｓｉｏｎ  Ｉｎｉｔｉａｔｉｏｎ  Ｐｒｏｔｏｃｏｌ）サーバであり、
前記第１クライアント部は、ＳＩＰに従って前記第１通信チャネルを確立し、
前記サーバ部は、ＳＩＰに従ってクライアント間の通信チャネルを確立させる、請求項１に記載のインターホンシステム。
【請求項３】
前記サーバ部は、前記第２クライアント部と前記通信端末との間の第３通信チャネルを確立させ、
前記第２クライアント部は、前記第３通信チャネルを介して、前記インターホン装置が捕捉したデータを前記通信端末に送信する、請求項１又は２に記載のインターホンシステム。
【請求項４】
前記外部サーバによって前記第１クライアント部と前記通信端末との間に前記第１通信チャネルを確立するか、前記サーバ部によって前記第２クライアント部と前記通信端末との間に前記第３通信チャネルを確立するかを切り替える通信制御部
をさらに備える、請求項３に記載のインターホンシステム。
【請求項５】
前記第１クライアント部は、
前記インターホン装置を識別する装置識別情報を前記外部サーバに送信する装置識別情報送信部と、
前記通信端末を識別する端末識別情報を前記通信端末から受信する端末識別情報受信部と、
前記端末識別情報を用いて、前記外部サーバを介して、前記第１クライアント部と前記通信端末との間の前記第１通信チャネルを確立するチャネル確立部と
を含む、請求項１から４のいずれか一項に記載のインターホンシステム。
【請求項６】
前記装置識別情報送信部は、前記通信端末から受信した設定指示に応じて、前記装置識別情報を前記外部サーバに送信する、請求項５に記載のインターホンシステム。
【請求項７】
前記インターホン装置は、
前記端末識別情報受信部が受信した前記端末識別情報を格納する端末識別情報格納部と、
予め定められた条件が満たされた場合に、前記端末識別情報格納部が格納する前記端末識別情報を無効化する端末識別情報無効化部と
をさらに有する、請求項５又は６に記載のインターホンシステム。
【請求項８】
前記端末識別情報無効化部は、前記インターホン装置の電源がオフにされた場合に、前記端末識別情報格納部が格納する前記端末識別情報を無効化する、請求項７に記載のインターホンシステム。
【請求項９】
コンピュータを、
クライアント間の通信チャネルを確立させる前記コンピュータが有するサーバ部のクライアントとして機能し、かつ、通信網を介して前記コンピュータに接続され、クライアント間の通信チャネルを確立させる外部サーバのクライアントとして機能する第１クライアント部であって、前記外部サーバによって前記第１クライアント部と通信端末との間に確立された第１通信チャネルを介して、前記サーバ部が確立した前記サーバ部のクライアントとして機能する第２クライアント部と前記第１クライアント部との間の第２通信チャネルを介して前記第２クライアント部から受信した前記コンピュータが捕捉したデータを、前記通信端末に送信する第１クライアント部
として機能させるためのプログラム。
【請求項１０】
コンピュータを、
インターホン装置を検索する装置検索部、
通信網を介して前記インターホン装置と接続された外部サーバであって、クライアント間の通信チャネルを確立させる前記外部サーバに対して前記インターホン装置を登録させるべく前記インターホン装置を識別する装置識別情報を送信させる指示を、前記インターホン装置に送信する設定指示送信部、
前記外部サーバに登録された前記コンピュータを識別する端末識別情報を前記外部サーバから受信する端末識別情報受信部、
前記端末識別情報受信部が受信した前記端末識別情報を前記インターホン装置に送信する端末識別情報送信部、及び
前記インターホン装置によって前記端末識別情報を用いて前記外部サーバを介して確立された、前記コンピュータと前記インターホン装置との間の通信チャネルを介して、前記インターホン装置が捕捉したデータを前記インターホン装置から受信するデータ受信部
として機能させるためのプログラム。
【発明の詳細な説明】
【技術分野】
【０００１】
本発明は、インターホンシステム及びプログラムに関する。
【背景技術】
【０００２】
子機及び親機と、子機と外部ネットワークとの間で音声信号を転送する転送装置と、転送装置との間でデータ通信するサーバ装置と、サーバ装置との間で音声データを送受信する携帯電話機とを備え、転送装置の識別符号に対応する携帯電話番号を管理するサーバ装置が、携帯電話と子機との間の通話チャネルを開設するインターホンシステムが知られていた（例えば、特許文献１参照）。
［先行技術文献］
［特許文献］
［特許文献１］特開２０１１−０１９０１０号公報
【発明の概要】
【発明が解決しようとする課題】
【０００３】
インターホンからの来訪通知に対してスマートフォン等の通信端末によって応対できるインターホンシステムを、従来よりも容易に提供できる技術が望まれていた。
【課題を解決するための手段】
【０００４】
本発明の第１の態様によれば、インターホン装置と、通信網を介してインターホン装置に接続され、クライアント間の通信チャネルを確立させる外部サーバとを備え、インターホン装置は、クライアント間の通信チャネルを確立させるサーバ部と、サーバ部のクライアントとして機能し、かつ、外部サーバのクライアントとして機能する第１クライアント部とを有し、第１クライアント部は、外部サーバによって第１クライアント部と通信端末との間に確立された第１通信チャネルを介して、インターホン装置が捕捉したデータを通信端末に送信するインターホンシステムが提供される。
【０００５】
上記インターホンシステムにおいて、外部サーバはＳＩＰ（Ｓｅｓｓｉｏｎ  Ｉｎｉｔｉａｔｉｏｎ  Ｐｒｏｔｏｃｏｌ）サーバであってよく、第１クライアント部は、ＳＩＰに従って第１通信チャネルを確立してよく、サーバ部は、ＳＩＰに従ってクライアント間の通信チャネルを確立させてよい。上記インターホンシステムにおいて、インターホン装置は、サーバ部のクライアントとして機能する第２クライアント部をさらに有してよく、サーバ部は、第１クライアント部と第２クライアント部との間の第２通信チャネルを確立させてよく、第１クライアント部は、第２通信チャネルを介して第２クライアント部から受信したデータを、第１通信チャネルを介して通信端末に送信してよい。
【０００６】
上記インターホンシステムにおいて、サーバ部は、第２クライアント部と通信端末との間の第３通信チャネルを確立させてよく、第２クライアント部は、第３通信チャネルを介して、インターホン装置が捕捉したデータを通信端末に送信してよい。上記インターホンシステムは、外部サーバによって第１クライアント部と通信端末との間に第１通信チャネルを確立するか、サーバ部によって第２クライアント部と通信端末との間に第３通信チャネルを確立するかを切り替える通信制御部をさらに備えてよい。
【０００７】
上記インターホンシステムにおいて、第１クライアント部は、インターホン装置を識別する装置識別情報を外部サーバに送信する装置識別情報送信部と、通信端末を識別する端末識別情報を通信端末から受信する端末識別情報受信部と、端末識別情報を用いて、外部サーバを介して、第１クライアント部と通信端末との間の第１通信チャネルを確立するチャネル確立部とを含んでよい。上記インターホンシステムにおいて、装置識別情報送信部は、通信端末から受信した設定指示に応じて、装置識別情報を外部サーバに送信してよい。上記インターホンシステムにおいて、インターホン装置は、端末識別情報受信部が受信した端末識別情報を格納する端末識別情報格納部と、予め定められた条件が満たされた場合に、端末識別情報格納部が格納する端末識別情報を無効化する端末識別情報無効化部とをさらに有してよい。上記インターホンシステムにおいて、端末識別情報無効化部は、インターホン装置の電源がオフにされた場合に、端末識別情報格納部が格納する端末識別情報を無効化してよい。
【０００８】
本発明の第２の態様によれば、コンピュータを、クライアント間の通信チャネルを確立させるコンピュータが有するサーバ部のクライアントとして機能し、かつ、通信網を介してコンピュータに接続され、クライアント間の通信チャネルを確立させる外部サーバのクライアントとして機能するクライアント部であって、外部サーバによってクライアント部と通信端末との間に確立された通信チャネルを介して、コンピュータが捕捉したデータを通信端末に送信するクライアント部として機能させるためのプログラムが提供される。
【０００９】
本発明の第３の態様によれば、コンピュータを、インターホン装置を検索する装置検索部、通信網を介してインターホン装置と接続された外部サーバであって、クライアント間の通信チャネルを確立させる外部サーバに対してインターホン装置を登録させるべくインターホン装置を識別する装置識別情報を送信させる指示を、インターホン装置に送信する設定指示送信部、外部サーバに登録されたコンピュータを識別する端末識別情報を外部サーバから受信する端末識別情報受信部、端末識別情報受信部が受信した端末識別情報をインターホン装置に送信する端末識別情報送信部、及びインターホン装置によって端末識別情報を用いて外部サーバを介して確立された、コンピュータとインターホン装置との間の通信チャネルを介して、インターホン装置が捕捉したデータをインターホン装置から受信するデータ受信部として機能させるためのプログラムが提供される。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】インターホンシステムの一例を概略的に示す。
【図２】子機の機能構成の一例を概略的に示す。
【図３】親機の機能構成の一例を概略的に示す。
【図４】通信端末の機能構成の一例を概略的に示す。
【図５】インターホンシステムによる処理フローの一例を概略的に示す。
【図６】インターホンシステムによる処理フローの一例を概略的に示す。
【図７】インターホンシステムによる処理フローの一例を概略的に示す。
【図８】インターホンシステムによる処理フローの一例を概略的に示す。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、インターホンシステム１００の一例を概略的に示す。本実施形態に係るインターホンシステム１００は、親機２００、子機３００及び外部サーバ４００を備えてよい。親機２００及び子機３００は、インターホン装置の一例であってよい。
【００１４】
親機２００は、住宅５０内に設置されてよい。子機３００は、住宅５０の玄関等に設置されてよい。親機２００と子機３００とは、例えば、有線ケーブルによって接続される。親機２００と子機３００とは、無線接続されてもよい。
【００１５】
親機２００は、住宅５０内のネットワークに接続されてよい。例えば、親機２００は、住宅５０内に設置されたＢＢＲ（ＢｒｏａｄＢａｎｄ  Ｒｏｕｔｅｒ）６０に接続される。親機２００は、ＢＢＲ６０に無線接続されてよい。例えば、親機２００は、Ｗｉ−Ｆｉ（登録商標）によってＢＢＲ６０に接続される。また、親機２００は有線ケーブルによってＢＢＲ６０と接続されてもよい。また、３Ｇ（３ｒｄ  Ｇｅｎｅｒａｔｉｏｎ）ネットワーク、及びＬＴＥ（Ｌｏｎｇ  Ｔｅｒｍ  Ｅｖｏｌｕｔｉｏｎ）ネットワーク等の４Ｇ（４ｔｈ  Ｇｅｎｅｒａｔｉｏｎ）ネットワーク対応の通信モジュールが親機に組み込まれ、ネットワークに接続されてもよい。
【００１６】
親機２００は、ＢＢＲ６０経由で、ＢＢＲ６０に無線接続された通信端末５００と通信してよい。通信端末５００は、スマートフォン等の携帯電話であってよい。通信端末５００は、例えば、Ｗｉ−ＦｉによってＢＢＲ６０に接続される。
【００１７】
また、親機２００は、ＢＢＲ６０を介して、通信網の一例であるインターネット１０に接続されてよい。親機２００は、インターネット１０及び携帯電話網２０を介して通信端末５００と通信してよい。携帯電話網２０は、例えば、３Ｇ（３ｒｄ  Ｇｅｎｅｒａｔｉｏｎ）ネットワーク、及びＬＴＥ（Ｌｏｎｇ  Ｔｅｒｍ  Ｅｖｏｌｕｔｉｏｎ）ネットワーク等の４Ｇ（４ｔｈ  Ｇｅｎｅｒａｔｉｏｎ）ネットワークである。
【００１８】
また、親機２００は、インターネット１０に接続された外部サーバ４００と通信してよい。外部サーバ４００は、クライアント間の通信チャネルを確立させる。外部サーバ４００は、例えば、ＳＩＰ（Ｓｅｓｓｉｏｎ  Ｉｎｉｔｉａｔｉｏｎ  Ｐｒｏｔｏｃｏｌ）サーバである。
【００１９】
本実施形態に係る親機２００は、外部サーバ４００を介して、通信端末５００との間の通信チャネルを確立する。そして、親機２００は、子機３００が捕捉した音声及び画像等のデータを、インターネット１０及び携帯電話網２０を介して通信端末５００に送信するとともに、通信端末５００から携帯電話網２０及びインターネット１０を介して受信した音声及び画像等のデータを、子機３００に送信する。これにより、通信端末５００が住宅５０外に位置する場合であっても、通信端末５００によって来訪者に応対することが可能となる。このように、インターネット１０及び携帯電話網２０を介して、子機３００と通信端末５００との間でデータを送受信するモードを屋外対応モードと呼ぶ場合がある。
【００２０】
また、本実施形態に係る親機２００は、ＢＢＲ６０に接続された通信端末５００との間の通信チャネルを確立する。そして、親機２００は、子機３００が捕捉した音声及び画像等のデータを、インターネット１０を介さずに、ＢＢＲ６０経由で通信端末５００に送信するとともに、通信端末５００からＢＢＲ６０経由で受信した音声及び画像等のデータを子機３００に送信する。これにより、ＢＢＲ６０と通信を確立していれば、通信端末５００がいずれの場所に位置しても、通信端末５００によって来訪者に応対することが可能となる。このように、インターネット１０を介さずに、ＢＢＲ６０を介して、子機３００と通信端末５００との間でデータを送受信するモードを屋内モードと呼ぶ場合がある。
【００２１】
親機２００は、例えば、屋外対応モードの契約をしている通信端末５００に対して、屋外対応モードでの子機３００との間のデータの送受信を実行させる。また、親機２００は、屋外対応モードの契約をしていない通信端末５００に対して、屋内モードでの子機３００との間のデータの送受信を実行させる。
【００２２】
親機２００は、サーバ部２２４、第２クライアント部２３０及び第１クライアント部２５０を有する。サーバ部２２４は、クライアント間の通信チャネルを確立させる。サーバ部２２４は、例えば、ＳＩＰに従って、クライアント間の通信チャネルを確立させる。
【００２３】
第２クライアント部２３０は、サーバ部２２４のクライアントとして機能する。例えば、第２クライアント部２３０は、子機３００から来訪通知を受信した場合に、通信端末５００に対する通信確立要求を、サーバ部２２４に送信する。通信確立要求を受信したサーバ部２２４は、第２クライアント部２３０と通信端末５００との間の、ＢＢＲ６０を介した通信チャネルを確立してよい。
【００２４】
これにより、住宅５０への来訪を、住宅５０内の通信端末５００に通知することができ、通信端末５００による応対を可能にすることができる。第２クライアント部２３０と通信端末５００との間の、ＢＢＲ６０を介した通信チャネルは、第３通信チャネルの一例であってよい。
【００２５】
第１クライアント部２５０は、外部サーバ４００のクライアントとして機能する。例えば、第１クライアント部２５０は、子機３００から来訪通知を受信した場合に、通信端末５００に対する通信確立要求を、外部サーバ４００に送信する。通信確立要求を受信した外部サーバ４００は、第１クライアント部２５０と通信端末５００との間の、インターネット１０及び携帯電話網２０を介した通信チャネルを確立してよい。
【００２６】
これにより、住宅５０への来訪を、住宅５０外の通信端末５００に通知することができ、通信端末５００による応対を可能にすることができる。第１クライアント部２５０と通信端末５００との間の、インターネット１０及び携帯電話網２０を介した通信チャネルは、第１通信チャネルの一例であってよい。第１クライアント部２５０は、例えば、ＳＩＰに従って第１通信チャネルを確立する。
【００２７】
第１クライアント部２５０は、さらに、サーバ部２２４のクライアントとして機能する。例えば、子機３００からの来訪通知を第２クライアント部２３０が受信した場合に、第２クライアント部２３０が、第１クライアント部２５０に対する通信確立要求をサーバ部２２４に送信する。通信確立要求を受信したサーバ部２２４は、第２クライアント部２３０と第１クライアント部２５０との間の通信チャネルを確立させてよい。第２クライアント部２３０と第１クライアント部２５０との間の通信チャネルは、第２通信チャネルの一例であってよい。
【００２８】
そして、第１クライアント部２５０は、通信端末５００に対する通信確立要求を外部サーバ４００に送信することによって通信端末５００との間の第１通信チャネルを確立し、第２クライアント部２３０から第２通信チャネルを介して受信したデータを、第１通信チャネルを介して通信端末５００に送信してよい。これにより、子機３００が捕捉した音声及び画像等のデータを、第２通信チャネル及び第１通信チャネルを介して通信端末５００に転送することができ、かつ、通信端末５００が送信した音声及び画像等のデータを第１通信チャネル及び第２通信チャネルを介して子機３００に転送することができる。
【００２９】
インターホンシステム１００は、さらに、ＡＰサーバ（Ａｐｐｌｉｃａｔｉｏｎサーバ）４１０を備えてよい。ＡＰサーバ４１０は、インターネット１０に接続される。また、ＡＰサーバ４１０は、外部サーバ４００に接続される。ＡＰサーバ４１０は、外部サーバ４００に直接接続されてよく、インターネット１０を介して接続されてもよく、また、専用網を介して接続されてもよい。
【００３０】
ＡＰサーバ４１０は、外部サーバ４００が、親機２００と通信端末５００との間に通信チャネルを確立したときに用いた登録情報を利用して、各種サービスを親機２００及び通信端末５００に提供してよい。
【００３１】
例えば、ＡＰサーバ４１０は、通信端末５００と親機２００との間のデータ通信を中継することによって、ホームセキュリティサービスを提供する。例えば、親機２００に電気錠が接続されている場合に、ＡＰサーバ４１０は、電気錠の操作信号を通信端末５００から受信して親機２００に転送する。これにより、通信端末５００による電気錠の遠隔操作を可能にすることができる。また、例えば、親機２００に住宅５０内監視用のセンサーカメラが接続されている場合に、ＡＰサーバ４１０は、センサーカメラが捕捉したデータを親機２００から受信して通信端末５００に転送する。これにより、通信端末５００による、住宅５０の遠隔監視を実現することができる。また、例えば、親機２００に火災報知器が接続されている場合に、ＡＰサーバ４１０は、火災報知器が捕捉したデータを親機２００から受信して通信端末５００に転送する。これにより、火災が発生した場合に、通信端末５００に通知することができる。
【００３２】
また、例えば、ＡＰサーバ４１０は、音楽配信サービス等を親機２００及び通信端末５００に提供する。例えば、ＡＰサーバ４１０は、音楽配信サーバに接続して、音楽配信サーバが提供する複数のコンテンツから任意のコンテンツを通信端末５００の使用者に選択させる。そして、ＡＰサーバ４１０は、音声配信サーバに、通信端末５００の使用者によって選択されたコンテンツを親機２００に向けて配信させる。これにより、通信端末５００によってコンテンツを選択し、親機２００によって音楽等を再生できるサービスを実現することができる。親機２００は、通信端末５００に比べてリビングなど家の中心となる位置に設置されている場合が多く、通信端末５００によって音楽等を再生する場合に比べて、より広範囲に音楽の再生を実現することができる。
【００３３】
図２は、子機３００の機能構成の一例を概略的に示す。子機３００は、来訪検出部３０２、来訪通知送信部３０４、データ送受信部３０６、撮像部３０８、表示部３１０、音声取得部３１２及び音声出力部３１４を有する。
【００３４】
来訪検出部３０２は、来訪者を検出する。来訪検出部３０２は、例えば、押しボタンであり、押しボタンの押下によって来訪者を検出する。また、来訪検出部３０２は、人感センサであってもよい。来訪通知送信部３０４は、来訪検出部３０２が来訪者を検出した場合に、来訪通知を親機２００に送信する。
【００３５】
データ送受信部３０６は、親機２００との間でデータを送受信する。撮像部３０８は、カメラであってよい。撮像部３０８は、来訪者を撮像してよい。データ送受信部３０６は、撮像部３０８が撮像した画像データを親機２００に送信してよい。表示部３１０は、液晶ディスプレイ等のディスプレイであってよい。表示部３１０は、データ送受信部３０６が親機２００から受信した画像データを表示してよい。
【００３６】
音声取得部３１２は、マイクであってよい。音声取得部３１２は、来訪者の音声を取得してよい。データ送受信部３０６は、音声取得部３１２が取得した音声を示す音声データを親機２００に送信してよい。音声出力部３１４は、スピーカーであってよい。音声出力部３１４は、データ送受信部３０６が親機２００から受信した音声データを音声出力してよい。
【００３７】
来訪検出部３０２は、来訪者を検出した場合、データ送受信部３０６に、撮像部３０８により撮像された画像データを親機２００に送信させてよい。これにより、親機２００に対して、来訪者の画像データを提供することができる。
【００３８】
図３は、親機２００の機能構成の一例を概略的に示す。親機２００は、来訪通知受信部２０２、来訪通知部２０４、データ送受信部２０６、表示部２０８、撮像部２１０、音声出力部２１２、音声取得部２１４、応答受付部２１６、モード設定部２２０、通信制御部２２２、サーバ部２２４、端末登録部２２６、第２クライアント部２３０、第１クライアント部２５０、セキュリティ管理部２８２及びコンテンツ管理部２８４を有する。第２クライアント部２３０は、チャネル確立部２３２、通話開始要求受信部２３４、データ中継部２３６及び来訪通知転送部２３８を含む。第１クライアント部２５０は、検索応答部２５２、設定指示受信部２５４、装置識別情報送信部２５６、端末識別情報受信部２５８、端末識別情報格納部２６０、来訪通知受信部２７０、チャネル確立部２７２、通話開始要求受信部２７４及びデータ中継部２７６を含む。なお、親機２００がこれらのすべての構成を備えることは必須とは限らない。
【００３９】
来訪通知受信部２０２は、子機３００から来訪通知を受信する。来訪通知部２０４は、住宅５０への来訪を通知する。来訪通知部２０４は、例えば、チャイム及びベル等の音、並びに来訪者の訪問を知らせる音声等によって、来訪を通知する。
【００４０】
データ送受信部２０６は、子機３００との間でデータを送受信する。表示部２０８は、液晶ディスプレイ等のディスプレイであってよい。表示部２０８は、データ送受信部２０６が子機３００から受信した画像データを表示してよい。来訪通知受信部２０２は、来訪通知を受信した場合に、子機３００から受信した画像データを表示部２０８に表示させてよい。撮像部２１０は、カメラであってよい。撮像部２１０は、住宅５０内の人物を撮像してよい。データ送受信部２０６は、撮像部２１０が撮像した画像データを子機３００に送信してよい。
【００４１】
音声出力部２１２は、スピーカーであってよい。音声出力部２１２は、データ送受信部２０６が子機３００から受信した音声データを音声出力してよい。音声取得部２１４は、マイクであってよい。音声取得部２１４は、住宅５０内の人物の音声を取得してよい。データ送受信部２０６は、音声取得部２１４が取得した音声を示す音声データを子機３００に送信してよい。
【００４２】
応答受付部２１６は、来訪通知に対する応答を受け付ける。応答受付部２１６は、例えば、押しボタンであり、来訪通知部２０４による通知後に、押しボタンが押下された場合に、応答を受け付けたと判定してよい。また、表示部２０８がタッチパネルディスプレイである場合、応答受付部２１６は、来訪通知部２０４による通知後に、表示部２０８に対するタッチ操作があった場合に、応答を受け付けたと判定してもよい。また、親機２００が受話器を有する場合に、応答受付部２１６は、来訪通知部２０４による通知後に、受話器が設置場所から取り外されたことを検知した場合に、応答を受け付けたと判定してもよい。
【００４３】
モード設定部２２０は、屋内モード及び屋外対応モードのいずれかを設定する。モード設定部２２０は、例えば、親機２００が備える不図示の操作部に対する操作に応じて、屋外対応モード又は屋内モードを設定する。また、例えば、表示部２０８がタッチパネルディスプレイである場合、モード設定部２２０は、表示部２０８に対する操作に応じて、屋外対応モード又は屋内モードを設定する。
【００４４】
通信制御部２２２は、来訪通知受信部２０２から来訪通知を受信する。通信制御部２２２は、モード設定部２２０によって設定されているモードに応じて、外部サーバ４００によって第１クライアント部２５０と通信端末５００との間に第１通信チャネルを確立するか、サーバ部２２４によって第２クライアント部２３０と通信端末５００との間に第３通信チャネルを確立するかを切り替えてよい。
【００４５】
屋内モードが設定されている場合、通信制御部２２２は、チャネル確立部２３２に通信チャネルを確立させてよい。チャネル確立部２３２は、通信制御部２２２からの指示に応じて、通信端末５００に対する通信確立要求を、サーバ部２２４に送信する。通信確立要求を受信したサーバ部２２４は、予め端末登録部２２６によって登録された通信端末５００の登録情報を用いて、第２クライアント部２３０と通信端末５００との間の第３通信チャネルを確立させる。
【００４６】
チャネル確立部２３２は、確立した第３通信チャネルを介して、住宅５０への来訪を通信端末５００に通知してよい。チャネル確立部２３２は、データ送受信部２０６が子機３００から受信した画像データを、第３通信チャネルを介して通信端末５００に送信してもよい。これにより、来訪者の画像データを通信端末５００の使用者に提供することができる。
【００４７】
端末登録部２２６は、例えば、屋外対応モードの契約をしていない通信端末５００を登録する。端末登録部２２６は、任意の手法によって通信端末５００を登録してよい。例えば、端末登録部２２６は、まず、親機２００に割り当てられたＩＰアドレス、シリアル番号及び初期パスワードを表示部２０８に表示させる。そして、表示されたＩＰアドレスを指定して親機２００に接続した通信端末５００から、シリアル番号及びパスワードを受信する。受信したシリアル番号及びパスワードが、表示部２０８に表示させたシリアル番号及び初期パスワードと一致した場合、端末登録部２２６は、通信端末５００の製造番号の送信を促す。そして、端末登録部２２６は、通信端末５００から受信した通信端末５００の製造番号を用いて、通信端末５００を登録する。
【００４８】
通話開始要求受信部２３４は、通信端末５００から通話開始要求を受信する。通話開始要求受信部２３４が通信端末５００から通話開始要求を受信した場合、データ中継部２３６は、データ送受信部２０６と通信端末５００との間におけるデータ送受信の中継を開始してよい。これにより、子機３００と通信端末５００との間におけるデータの送受信を中継することができ、通信端末５００による来訪者への応対を可能とする。
【００４９】
チャネル確立部２３２が、第３通信チャネルを介して住宅５０への来訪を通信端末５００に通知してから、予め定められた時間を経過するまでに通話開始要求受信部２３４が通話開始要求を受信しなかった場合、チャネル確立部２３２は、第３通信チャネルの確立を解除させてよい。
【００５０】
屋外対応モードが設定されている場合、通信制御部２２２は、来訪通知転送部２３８に、来訪通知を第１クライアント部２５０の来訪通知受信部２７０に対して転送させてよい。なお、通信制御部２２２は、来訪通知転送部２３８を介さずに、来訪通知を来訪通知受信部２７０に送信してもよい。
【００５１】
第１クライアント部２５０が含む検索応答部２５２、設定指示受信部２５４及び装置識別情報送信部２５６は、例えば、屋外対応モードの契約をしている通信端末５００からの要求に従って、親機２００を外部サーバ４００に登録する。
【００５２】
検索応答部２５２は、通信端末５００からの検索に応答する。例えば、検索応答部２５２は、通信端末５００がＷｉ−Ｆｉ環境下において送信した親機２００の検索要求を受信した場合に、応答信号を送信する。
【００５３】
設定指示受信部２５４は、通信端末５００から、外部サーバ４００に対して親機２００を登録させるべく親機２００を識別する装置識別情報を送信させる初期設定指示を受信する。
【００５４】
装置識別情報送信部２５６は、設定指示受信部２５４が通信端末５００から設定指示を受信したことに応じて、親機２００を識別する装置識別情報及び親機２００のＩＰアドレス等の登録情報を、インターネット１０を介して外部サーバ４００に送信する。親機２００を識別する装置識別情報は、例えば、親機２００のシリアル番号である。親機２００から登録情報を受信した外部サーバ４００は、登録情報を用いて親機２００を登録してよい。
【００５５】
端末識別情報受信部２５８は、外部サーバ４００に登録されている、通信端末５００を識別する端末識別情報を、通信端末５００から受信する。端末識別情報格納部２６０は、端末識別情報受信部２５８が受信した端末識別情報を格納する。
【００５６】
来訪通知受信部２７０は、来訪通知転送部２３８又は通信制御部２２２から来訪通知を受信する。チャネル確立部２７２は、来訪通知受信部２７０による来訪通知の受信に応じて、外部サーバ４００を介して、第１クライアント部２５０と通信端末５００との間の第１通信チャネルを確立する。チャネル確立部２７２は、端末識別情報格納部２６０に格納されている端末識別情報を用いて、外部サーバ４００を介して、第１クライアント部２５０と通信端末５００との間の第１通信チャネルを確立してよい。
【００５７】
チャネル確立部２７２は、確立した第１通信チャネルを介して、住宅５０への来訪を通信端末５００に通知してよい。チャネル確立部２７２は、データ送受信部２０６が子機３００から受信した画像データを、第１通信チャネルを介して通信端末５００に送信してもよい。これにより、来訪者の画像データを通信端末５００の使用者に提供できる。
【００５８】
通話開始要求受信部２７４は、通信端末５００から通話開始要求を受信する。通話開始要求受信部２７４が通信端末５００から通話開始要求を受信した場合、データ中継部２７６は、データ送受信部２０６と通信端末５００との間におけるデータ送受信の中継を開始してよい。これにより、子機３００と通信端末５００との間におけるデータの送受信を中継することができ、通信端末５００による来訪者への応対を可能とする。
【００５９】
チャネル確立部２７２が、第１通信チャネルを介して住宅５０への来訪を通信端末５００に通知してから、予め定められた時間を経過するまでに通話開始要求受信部２７４が通話開始要求を受信しなかった場合、チャネル確立部２７２は、第１通信チャネルの確立を解除させてよい。
【００６０】
また、屋外対応モードが設定されている場合、通信制御部２２２は、チャネル確立部２３２に、第２クライアント部２３０と第１クライアント部２５０との間の第２通信チャネルを確立させてもよい。チャネル確立部２３２は、通信制御部２２２からの指示に応じて、第１クライアント部２５０に対する通信確立要求を、サーバ部２２４に送信する。通信確立要求を受信したサーバ部２２４は、第２通信チャネルを確立させる。
【００６１】
チャネル確立部２３２は、来訪通知転送部２３８に、確立した第２通信チャネルを介して訪問通知を来訪通知受信部２７０に転送させてよい。来訪通知受信部２７０による訪問通知の受信に応じて、チャネル確立部２７２は、第１クライアント部２５０と通信端末５００との間の第１通信チャネルを確立させてよい。そして、通話開始要求受信部２７４が通信端末５００から通話開始要求を受信したことに応じて、データ中継部２７６及びデータ中継部２３６が、データ送受信部２０６と通信端末５００との間のデータ送受信の中継を開始してよい。これにより、子機３００と通信端末５００との間におけるデータの送受信を中継することができ、通信端末５００による来訪者への応対を可能とする。
【００６２】
端末識別情報無効化部２７８は、予め定められた条件が満たされた場合に、端末識別情報格納部２６０が格納する端末識別情報を無効化する。ここで、端末識別情報を無効化するとは、端末識別情報を削除することであってよい。また、端末識別情報を無効化するとは、格納している端末識別情報を使用しないように制御することであってもよい。
【００６３】
例えば、端末識別情報無効化部２７８は、親機２００の電源がオフにされた場合に、端末識別情報格納部２６０が格納する端末識別情報を無効化する。端末識別情報無効化部２７８は、端末識別情報を揮発性メモリに格納させることによって、親機２００の電源がオフになった場合に、端末識別情報が削除されるようにしてもよい。
【００６４】
例えば、住宅５０の居住者が転居して、別の居住者が住宅５０に入居した場合に、端末識別情報格納部２６０に格納された端末識別情報が有効になったままだと、新たな入居者に対する来訪が、元の居住者の通信端末５００に通知されてしまうおそれがある。しかし、親機２００の電源がオフにされた場合に端末識別情報無効化部２７８が端末識別情報を無効化することによって、転居の際に親機２００の電源がオフになったタイミングで、端末識別情報を無効化することができ、新たな入居者に対する来訪が、元の居住者の通信端末５００に通知されてしまう事態の発生を防止することができる。なお、端末識別情報無効化部２７８は、親機２００が格納する電話帳データが全て削除された場合に、端末識別情報を無効化してもよい。
【００６５】
セキュリティ管理部２８２は、データ送受信部２０６を介して、ＡＰサーバ４１０と通信する。例えば、セキュリティ管理部２８２は、ＡＰサーバ４１０から、電気錠の操作信号を受信する。そして、セキュリティ管理部２８２は、受信した電気錠の操作信号に応じて、電気錠を操作する。また、例えば、セキュリティ管理部２８２は、センサーカメラが捕捉したデータをＡＰサーバ４１０に送信する。また、例えば、セキュリティ管理部２８２は、火災報知器が捕捉したデータをＡＰサーバ４１０に送信する。
【００６６】
コンテンツ管理部２８４は、データ送受信部２０６を介してＡＰサーバ４１０と通信する。例えば、コンテンツ管理部２８４は、ＡＰサーバ４１０から、音楽コンテンツ等を受信する。コンテンツ管理部２８４は、ＡＰサーバ４１０の指示に基づいて、音楽コンテンツ等を配信する音声配信サーバから、音楽コンテンツ等を受信してもよい。音楽コンテンツ等を受信したコンテンツ管理部２８４は、音声出力部２１２に、音楽コンテンツを出力させてよい。
【００６７】
図４は、通信端末５００の機能構成の一例を概略的に示す。通信端末５００は、装置検索部５０２、設定指示送信部５０４、登録制御部５０６、端末識別情報受信部５０８、端末識別情報送信部５１０、通信確立要求受信部５１２、通話開始要求送信部５１４、データ送受信部５１６、表示部５１８、撮像部５２０、音声取得部５２２、音声出力部５２４及びＡＰサーバ通信部５３０を有する。なお、通信端末５００がこれらのすべての構成を備えることは必須とは限らない。
【００６８】
装置検索部５０２は、親機２００を検索する。装置検索部５０２は、例えば、同一のＷｉ−Ｆｉネットワークに所属する親機２００を検索する。
【００６９】
設定指示送信部５０４は、装置検索部５０２が検索した親機２００に対して、外部サーバ４００に対して親機２００を登録させるべく親機２００を識別する装置識別情報を送信させる初期設定指示を送信する。
【００７０】
登録制御部５０６は、通信端末５００を外部サーバ４００に登録させる。登録制御部５０６は、通信端末５００を識別する識別情報を外部サーバ４００に送信することによって、通信端末５００を外部サーバ４００に登録させてよい。例えば、登録制御部５０６は、通信端末５００のメールアドレスを外部サーバ４００に送信する。
【００７１】
端末識別情報受信部５０８は、外部サーバ４００に登録された通信端末５００を識別する端末識別情報を外部サーバ４００から受信する。端末識別情報送信部５１０は、端末識別情報受信部５０８が受信した端末識別情報を親機２００に送信する。
【００７２】
通信確立要求受信部５１２は、親機２００から通信確立要求を受信する。通信確立要求受信部５１２は、例えば、チャネル確立部２７２が外部サーバ４００経由で送信した通信確立要求を受信する。また、通信確立要求受信部５１２は、例えば、チャネル確立部２３２がサーバ部２２４経由で送信した通信確立要求を受信する。
【００７３】
通話開始要求送信部５１４は、通話開始要求を親機２００に送信する。通話開始要求送信部５１４は、通信端末５００の使用者の指示に従って、通話開始要求を親機２００に送信してよい。例えば、通話開始要求送信部５１４は、通話開始要求を送信してよいか否かを、表示部５１８を介して通信端末５００の使用者に確認する。
【００７４】
データ送受信部５１６は、親機２００との間でデータを送受信する。データ送受信部５１６は、例えば、第２クライアント部２３０を介して、子機３００との間でデータを送受信する。また、データ送受信部５１６は、第１クライアント部２５０を介して、子機３００との間でデータを送受信してよい。
【００７５】
表示部５１８は、液晶ディスプレイ及び有機ＥＬディスプレイ等のディスプレイであってよい。表示部５１８は、データ送受信部５１６が受信した画像データを表示してよい。通信確立要求受信部５１２は、親機２００から通信確立要求に加えて画像データを受信した場合、当該画像データを表示部５１８に表示させてよい。撮像部５２０は、カメラであってよい。撮像部５２０は、通信端末５００の使用者を撮像してよい。データ送受信部５１６は、撮像部５２０が撮像した画像データを親機２００に送信してよい。
【００７６】
音声取得部５２２は、マイクであってよい。音声取得部５２２は、通信端末５００の使用者の音声を取得してよい。データ送受信部５１６は、音声取得部５２２が取得した音声を示す音声データを親機２００に送信してよい。音声出力部５２４は、スピーカーであってよい。音声出力部５２４は、データ送受信部５１６が受信した音声データを音声出力してよい。
【００７７】
ＡＰサーバ通信部５３０は、ＡＰサーバ４１０と通信する。ＡＰサーバ通信部５３０は、例えば、親機２００が備える電気錠の操作信号をＡＰサーバ４１０に送信する。また、ＡＰサーバ通信部５３０は、親機２００に接続されたセンサーカメラの捕捉データをＡＰサーバ４１０から受信してよい。ＡＰサーバ通信部５３０は、受信した捕捉データを表示部５１８及び音声出力部５２４に出力させてよい。また、ＡＰサーバ通信部５３０は、親機２００に接続された火災報知器の捕捉データをＡＰサーバ４１０から受信してよい。ＡＰサーバ通信部５３０は、受信した捕捉データを表示部５１８及び音声出力部５２４に出力させてよい。また、ＡＰサーバ通信部５３０は、音楽配信サーバが提供する複数のコンテンツから任意のコンテンツを選択する選択信号をＡＰサーバ４１０に送信してよい。
【００７８】
図５は、インターホンシステム１００による処理フローの一例を概略的に示す。図５に示す処理フローは、外部サーバ４００を介して親機２００との間で通信チャネルを確立して、子機３００との間でデータの送受信を実行するためのアプリが、通信端末５００にインストールされた状態を開始状態として説明する。通信端末５００は、インストールされた当該アプリを実行することによって、ステップ５０２（ステップをＳと省略して記載する場合がある。）以降の処理を実行してよい。
【００７９】
Ｓ５０２では、Ｗｉ−Ｆｉ環境下において、通信端末５００が親機２００を検索する。Ｓ５０４では、親機２００が応答信号を通信端末５００に送信する。
【００８０】
Ｓ５０６では、通信端末５００が、外部サーバ４００に対して親機２００を登録させるべく親機２００を識別する装置識別情報を送信させる初期設定指示を、親機２００に送信する。Ｓ５０８では、親機２００が、Ｓ５０６で受信した初期設定指示に従って、装置識別情報を外部サーバ４００に送信する。
【００８１】
Ｓ５１０では、外部サーバ４００が親機２００に対して応答信号を送信する。Ｓ５１２では、親機２００が通信端末５００に対して、完了報告を送信する。
【００８２】
Ｓ５１４では、通信端末５００が、仮登録申請を外部サーバ４００に送信する。Ｓ５１６では、外部サーバ４００が、仮登録結果として、登録用のメールアドレスを通信端末５００に送信する。
【００８３】
Ｓ５１８では、通信端末５００が、Ｓ５１６で受信した登録用のメールアドレス宛てに空メールを送信する。Ｓ５１８で空メールを受信した外部サーバ４００は、空メールの送信元メールアドレスを用いて、通信端末５００を登録する。そして、Ｓ５２０では、外部サーバ４００が、登録した通信端末５００を識別する端末識別情報を通信端末５００に送信する。
【００８４】
Ｓ５２２では、通信端末５００が、Ｓ５２０で受信した端末識別情報を親機２００に送信する。Ｓ５２４では、親機２００が、登録が完了したことを示す登録完了通知を通信端末５００に送信する。以上の処理フローによって、親機２００及び通信端末５００が外部サーバ４００に登録される。
【００８５】
図６は、インターホンシステム１００による処理フローの一例を概略的に示す。図６では、親機２００が子機３００から来訪通知を受信してから、親機２００と通信端末５００との間で通話が開始されるまでの処理フローについて説明する。なお、ここでは、第１クライアント部２５０の一例として第１ＳＩＰクライアント部２５１、外部サーバ４００の一例として外部ＳＩＰサーバ４０１を採用した場合について説明する。
【００８６】
Ｓ６０２では、第１ＳＩＰクライアント部２５１が、宛先に通信端末５００の端末識別情報を含めたＩＮＶＩＴＥメッセージを、外部ＳＩＰサーバ４０１に送信する。Ｓ６０４では、外部ＳＩＰサーバ４０１が、通信端末５００に対してＩＮＶＩＴＥメッセージを転送する。
【００８７】
Ｓ６０６では、通信端末５００が２００  ＯＫメッセージを外部ＳＩＰサーバ４０１に送信する。Ｓ６０８では、外部ＳＩＰサーバ４０１が、Ｓ６０６で受信した２００  ＯＫメッセージを第１ＳＩＰクライアント部２５１に対して転送する。
【００８８】
Ｓ６１０では、第１ＳＩＰクライアント部２５１が、ＡＣＫメッセージを外部ＳＩＰサーバ４０１に送信する。Ｓ６１２では、外部ＳＩＰサーバ４０１が、Ｓ６１０で受信したＡＣＫメッセージを通信端末５００に転送する。そして、Ｓ６１４において、第１ＳＩＰクライアント部２５１と通信端末５００との間の第１通信チャネルが確立する。
【００８９】
Ｓ６１６では、第１ＳＩＰクライアント部２５１が、第１通信チャネルを介して、子機３００から受信した来訪者の画像データを通信端末５００に送信する。Ｓ６１６で画像データを受信した通信端末５００は、通信端末５００の使用者に画像データを提示する。そして、通話開始するか否かを通信端末５００の使用者に問い合わせる。使用者への問い合わせは、通信端末５００が備える表示部５１８を介して行われてよい。ここでは、通話開始する旨の指示を使用者から受け付けたものとして説明を続ける。
【００９０】
Ｓ６１８では、通信端末５００が、通話開始要求を第１ＳＩＰクライアント部２５１に送信する。Ｓ６２０では、第１ＳＩＰクライアント部２５１が、子機３００と通信端末５００との間での通話を開始させる。すなわち、第１ＳＩＰクライアント部２５１は、子機３００が捕捉した音声及び画像等のデータを第１通信チャネルを介して通信端末５００に送信し、通信端末５００から第１通信チャネルを介して受信した音声及び画像等のデータを子機３００に送信する。
【００９１】
図７は、インターホンシステム１００による処理フローの一例を概略的に示す。図７では、親機２００が子機３００から来訪通知を受信してから、親機２００と通信端末５００との間で通話が開始されるまでの処理フローについて説明する。なお、ここでは、第２クライアント部２３０の一例として、サーバ部２２４の一例としてＳＩＰサーバ部２２５、第１クライアント部２５０の一例として第１ＳＩＰクライアント部２５１を採用した場合について説明する。
【００９２】
Ｓ７０２では、第２ＳＩＰクライアント部２３１が、宛先に第１ＳＩＰクライアント部２５１の識別情報を含めたＩＮＶＩＴＥメッセージをＳＩＰサーバ部２２５に送信する。Ｓ７０４では、ＳＩＰサーバ部２２５が、Ｓ７０２で受信したＩＮＶＩＴＥメッセージを第１ＳＩＰクライアント部２５１に転送する。
【００９３】
Ｓ７０６では、第１ＳＩＰクライアント部２５１が、２００  ＯＫメッセージをＳＩＰサーバ部２２５に送信する。Ｓ７０８では、ＳＩＰサーバ部２２５が、Ｓ７０６で受信した２００  ＯＫメッセージを第２ＳＩＰクライアント部２３１に転送する。
【００９４】
Ｓ７１０では、第２ＳＩＰクライアント部２３１が、ＡＣＫメッセージをＳＩＰサーバ部２２５に送信する。Ｓ７１２では、ＳＩＰサーバ部２２５が、Ｓ７１０で受信したＡＣＫメッセージを第１ＳＩＰクライアント部２５１に転送する。そして、Ｓ７１４において、第２ＳＩＰクライアント部２３１と第１ＳＩＰクライアント部２５１との間の第２通信チャネルが確立する。
【００９５】
Ｓ７１６では、第１ＳＩＰクライアント部２５１が、宛先に通信端末５００の端末識別情報を含めたＩＮＶＩＴＥメッセージを、外部ＳＩＰサーバ４０１に送信する。Ｓ７１８では、外部ＳＩＰサーバ４０１が、通信端末５００に対してＩＮＶＩＴＥメッセージを転送する。
【００９６】
Ｓ７２０では、通信端末５００が２００  ＯＫメッセージを外部ＳＩＰサーバ４０１に送信する。Ｓ７２２では、外部ＳＩＰサーバ４０１が、Ｓ７２０で受信した２００  ＯＫメッセージを第１ＳＩＰクライアント部２５１に対して転送する。
【００９７】
Ｓ７２４では、第１ＳＩＰクライアント部２５１が、ＡＣＫメッセージを外部ＳＩＰサーバ４０１に送信する。Ｓ７２６では、外部ＳＩＰサーバ４０１が、Ｓ７２４で受信したＡＣＫメッセージを通信端末５００に転送する。そして、Ｓ７２８において、第１ＳＩＰクライアント部２５１と通信端末５００との間の第１通信チャネルが確立する。
【００９８】
Ｓ７３０では、第２ＳＩＰクライアント部２３１が、子機３００から受信した画像データを、第２通信チャネルを介して第１ＳＩＰクライアント部２５１に送信する。Ｓ７３２では、Ｓ７３０で第２ＳＩＰクライアント部２３１から受信した画像データを、第１ＳＩＰクライアント部２５１が、第１通信チャネルを介して通信端末５００に送信する。
【００９９】
ここでは、図６と同様、通信端末５００が、通信端末５００の使用者から通話開始する旨の指示を受け付けたものとして説明を続ける。Ｓ７３４では、通信端末５００が、通話開始要求を第１通信チャネルを介して第１ＳＩＰクライアント部２５１に送信する。Ｓ７３６では、第１ＳＩＰクライアント部２５１が、Ｓ７３４で受信した通話開始要求を、第２通信チャネルを介して第２ＳＩＰクライアント部２３１に送信する。
【０１００】
Ｓ７３８では、第１ＳＩＰクライアント部２５１が、子機３００と通信端末５００との間で通話を開始させる。すなわち、第１ＳＩＰクライアント部２５１は、子機３００が捕捉した音声及び画像等のデータを、第２通信チャネルを介して第２ＳＩＰクライアント部２３１から受信し、第１通信チャネルを介して通信端末５００に送信する。また、第１ＳＩＰクライアント部２５１は、通信端末５００から第１通信チャネルを介して受信した音声及び画像等のデータを、第２通信チャネルを介して、第２ＳＩＰクライアント部２３１を経由して、子機３００に送信する。
【０１０１】
なお、図７の処理フローでは、子機３００から来訪通知を受信してから、第２ＳＩＰクライアント部２３１と第１クライアント部２５０との間の第２通信チャネルを確立する例を挙げて説明したがこれに限らない。子機３００から来訪通知を受信する前に、第２通信チャネルを確立しておいてもよい。
【０１０２】
図８は、インターホンシステム１００による処理フローの一例を概略的に示す。図８では、親機２００が子機３００から来訪通知を受信してから、親機２００と通信端末５００との間で通話が開始されるまでの処理フローについて説明する。なお、ここでは、第２クライアント部２３０の一例として第２ＳＩＰクライアント部２３１、サーバ部２２４の一例としてＳＩＰサーバ部２２５を採用した場合について説明する。
【０１０３】
Ｓ８０２では、第２ＳＩＰクライアント部２３１が、宛先に通信端末５００の端末識別情報を含めたＩＮＶＩＴＥメッセージを、ＳＩＰサーバ部２２５に送信する。Ｓ８０４では、ＳＩＰサーバ部２２５が、Ｗｉ−Ｆｉ経由で、通信端末５００に対してＩＮＶＩＴＥメッセージを転送する。
【０１０４】
Ｓ８０６では、通信端末５００が２００  ＯＫメッセージをＳＩＰサーバ部２２５に送信する。Ｓ８０８では、ＳＩＰサーバ部２２５が、Ｓ８０６で受信した２００  ＯＫメッセージを第２ＳＩＰクライアント部２３１に対して転送する。
【０１０５】
Ｓ８１０では、第２ＳＩＰクライアント部２３１が、ＡＣＫメッセージをＳＩＰサーバ部２２５に送信する。Ｓ８１２では、ＳＩＰサーバ部２２５が、Ｓ８１０で受信したＡＣＫメッセージを通信端末５００に転送する。そして、Ｓ８１４において、第２ＳＩＰクライアント部２３１と通信端末５００との間の第３通信チャネルが確立する。
【０１０６】
Ｓ８１６では、第２ＳＩＰクライアント部２３１が、第３通信チャネルを介して、子機３００から受信した来訪者の画像データを通信端末５００に送信する。Ｓ６８１６で画像データを受信した通信端末５００は、通信端末５００の使用者に画像データを提示する。そして、通話開始するか否かを通信端末５００の使用者に問い合わせる。使用者への問い合わせは、通信端末５００が備える表示部５１８を介して行われてよい。ここでは、通話開始する旨の指示を使用者から受け付けたものとして説明を続ける。
【０１０７】
Ｓ８１８では、通信端末５００が、通話開始要求を第２ＳＩＰクライアント部２３１に送信する。Ｓ８２０では、第２ＳＩＰクライアント部２３１が、子機３００と通信端末５００との間での通話を開始させる。すなわち、第２ＳＩＰクライアント部２３１は、子機３００が捕捉した音声及び画像等のデータを第１通信チャネルを介して通信端末５００に送信し、通信端末５００から第１通信チャネルを介して受信した音声及び画像等のデータを子機３００に送信する。
【０１０８】
以上の説明において、親機２００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、親機２００として機能してもよい。プログラムは、コンピュータ読み取り可能な媒体又はネットワークに接続された記憶装置から、親機２００の少なくとも一部を構成するコンピュータにインストールされてよい。
【０１０９】
コンピュータにインストールされ、コンピュータを本実施形態に係る親機２００として機能させるプログラムは、ＣＰＵ等に働きかけて、コンピュータを、親機２００の各部としてそれぞれ機能させる。これらのプログラムに記述された情報処理は、コンピュータに読込まれることにより、ソフトウエアと親機２００のハードウエア資源とが協働した具体的手段として機能する。
【０１１０】
また、コンピュータにインストールされ、コンピュータを本実施形態に係る通信端末５００として機能させるプログラムは、ＣＰＵ等に働きかけて、コンピュータを、通信端末５００の各部としてそれぞれ機能させる。これらのプログラムに記述された情報処理は、コンピュータに読込まれることにより、ソフトウエアと通信端末５００のハードウエア資源とが協働した具体的手段として機能する。
【０１１１】
上述した実施形態では、親機２００及び子機３００をインターホン装置の一例として説明したが、これに限らない。親機２００のみがインターホン装置であってもよい。また、インターホン装置は、親機２００と子機３００との機能を併せ持つ一の装置であってもよい。すなわち、インターホン装置は、例えば、住宅５０の玄関に設置され、撮像部３０８、表示部３１０、音声取得部３１２、音声出力部３１４、来訪検出部３０２、モード設定部２２０、通信制御部２２２、サーバ部２２４、端末登録部２２６、第２クライアント部２３０及び第１クライアント部２５０を備える一の装置であってもよい。
【０１１２】
また、上述した実施形態では、親機２００が第１クライアント部２５０を有する例を挙げて説明したが、第２クライアント部２３０及び第１クライアント部２５０を有する記憶媒体が、親機２００に接続されてもよい。例えば、第２クライアント部２３０及び第１クライアント部２５０を有するＵＳＢメモリが、親機２００にＵＳＢ接続されてよい。これにより、既存の親機２００に対して、屋内モードで動作する機能及び屋外対応モードで動作する機能を追加することができる。
【０１１３】
また、第２クライアント部２３０及びサーバ部２２４を有する親機２００に対して、第１クライアント部２５０を有する記憶媒体が接続されてもよい。例えば、サーバ部２２４及び第２クライアント部２３０を有する親機２００に対して、第１クライアント部２５０を有するＵＳＢメモリがＵＳＢ接続されてよい。これにより、もともとサーバ部２２４及び第２クライアント部２３０を有する親機２００に対して、第１クライアント部２５０を有するＵＳＢメモリをＵＳＢ接続させることによって、屋外対応モードで動作する機能を追加することができる。
【０１１４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１１５】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【０１１６】
１０  インターネット、２０  携帯電話網、５０  住宅、６０  ＢＢＲ、１００  インターホンシステム、２００  親機、２０２  来訪通知受信部、２０４  来訪通知部、２０６  データ送受信部、２０８  表示部、２１０  撮像部、２１２  音声出力部、２１４  音声取得部、２１６  応答受付部、２２０  モード設定部、２２２  通信制御部、２２４  サーバ部、２２５  ＳＩＰサーバ部、２２６  端末登録部、２３０  第２クライアント部、２３１  第２ＳＩＰクライアント部、２３２  チャネル確立部、２３４  通話開始要求受信部、２３６  データ中継部、２３８  来訪通知転送部、２５０  第１クライアント部、２５１  第１ＳＩＰクライアント部、２５２  検索応答部、２５４  設定指示受信部、２５６  装置識別情報送信部、２５８  端末識別情報受信部、２６０  端末識別情報格納部、２７０  来訪通知受信部、２７２  チャネル確立部、２７４  通話開始要求受信部、２７６  データ中継部、２７８  端末識別情報無効化部、２８２  セキュリティ管理部、２８４  コンテンツ管理部、３００  子機、３０２  来訪検出部、３０４  来訪通知送信部、３０６  データ送受信部、３０８  撮像部、３１０  表示部、３１２  音声取得部、３１４  音声出力部、４００  外部サーバ、４０１  外部ＳＩＰサーバ、４１０  ＡＰサーバ、５００  通信端末、５０２  装置検索部、５０４  設定指示送信部、５０６  登録制御部、５０８  端末識別情報受信部、５１０  端末識別情報送信部、５１２  通信確立要求受信部、５１４  通話開始要求送信部、５１６  データ送受信部、５１８  表示部、５２０  撮像部、５２２  音声取得部、５２４  音声出力部、５３０  ＡＰサーバ通信部
【要約】
【課題】インターホンからの来訪通知に対してスマートフォン等の通信端末によって応対できるインターホンシステムを、従来よりも容易に提供できる技術が望まれていた。
【解決手段】インターホン装置と、通信網を介してインターホン装置に接続され、クライアント間の通信チャネルを確立させる外部サーバとを備え、インターホン装置は、クライアント間の通信チャネルを確立させるサーバ部と、サーバ部のクライアントとして機能し、かつ、外部サーバのクライアントとして機能する第１クライアント部とを有し、第１クライアント部は、外部サーバによって第１クライアント部と通信端末との間に確立された第１通信チャネルを介して、インターホン装置が捕捉したデータを通信端末に送信するインターホンシステムを提供する。
【選択図】図１【図１】
0005810359.tif 000002
【図２】
0005810359.tif 000003
【図３】
0005810359.tif 000004
【図４】
0005810359.tif 000005
【図５】
0005810359.tif 000006
【図６】
0005810359.tif 000007
【図７】
0005810359.tif 000008
【図８】
0005810359.tif 000009